(57)【特許請求の範囲】
【請求項１】
被検査体の電気的特性を検査するテストソケットであって、
検査方向に伸縮可能な複数のプローブと、
前記複数のプローブの一端が前記被検査体の被検査接点に接触するように突出するように支持するプローブ支持体と、
前記プローブ支持体の下側に配置され、電子部品が実装され、前記複数のプローブのうち少なくとも一つの他端が接触する少なくとも一つの第１パッド、及び前記第１パッドの反対側に形成された少なくとも一つの第２パッドを有する印刷回路基板（ＰＣＢ）であり、前記第１パッドから延びて前記実装された電子部品に連結される第１電気的経路及び前記第２パッドから延びて前記実装された電子部品に連結される第２電気的経路が当該印刷回路基板（ＰＣＢ）の両面に形成された、印刷回路基板（ＰＣＢ）と、
前記印刷回路基板（ＰＣＢ）の下側に配置され、前記複数のプローブに対応する少なくとも一つの導電部を支持する下部支持体とを備え、
前記印刷回路基板（ＰＣＢ）は、前記少なくとも一つの第１パッドに接触する少なくとも一つのプローブを除いた残りのプローブの他端が通過する開孔を有し、
前記開孔を貫通したプローブの他端は、前記導電部に接触することを特徴とするテストソケット。
【請求項２】
前記プローブ支持体は下部の溝部を有し、
前記印刷回路基板（ＰＣＢ）及び前記下部支持体は前記溝部に少なくとも部分的に収容されることを特徴とする、請求項１に記載のテストソケット。
【請求項３】
前記溝部内には前記電子部品を収容する第２溝部が形成されていることを特徴とする、請求項２に記載のテストソケット。
【請求項４】
前記電子部品として抵抗又はキャパシターを含むことを特徴とする、請求項１に記載のテストソケット。
【請求項５】
前記導電部は検査方向に伸縮可能であることを特徴とする、請求項１に記載のテストソケット。
【発明の詳細な説明】
【技術分野】
【０００１】
本発明は、電子部品の電気的特性を検査するためのテストソケット、特に、特性の難しい電子装置を検査するために部品付き印刷回路基板（Ｐｒｉｎｔｅｄ  Ｃｉｒｃｕｉｔ  Ｂｏａｒｄ：ＰＣＢ）を有するテストソケットに関する。
【背景技術】
【０００２】
半導体チップは、微細な電子回路が高密度で集積して形成されており、製造工程中に各電子回路が正常であるか否かがテストされる。
【０００３】
半導体チップのテストには、半導体チップの端子とテスト信号を印加する検査回路基板の接点（パッド）とを電気的に連結する半導体検査用コンタクトプローブが用いられる。一般に、半導体チップは非常に微細なパターンの端子の配列を含んでいる。したがって、非常に微細なパターンの端子に接触させて検査を行うためには、非常に微細な大きさのコンタクトプローブをプローブ支持部に集積して支持する必要がある。
【０００４】
特性の難しい半導体チップを検査するためのテストソケットは、信号経路を短くするためにコンタクトプローブの長さを短くして、テストで発生する損失を最小化することができる。しかし、コンタクトプローブの長さを短くすると、テスト時に加える圧力を十分に吸収し得る弾性を与えにくいという問題がある。
【０００５】
このような問題を解決するために、韓国特許登録第１０−１１９３５５６号公報では、電子部品を実装した印刷回路基板とテストソケットとを一体化した例を開示している。
【０００６】
かかる従来のテストソケットは、印刷回路基板に複数の貫通孔を配置し、貫通孔の内壁は伝導性被膜を形成し、貫通孔にはコンタクトプローブ（導電性ゴム）を配置して印刷回路基板の電子部品と連結する構造である。
【０００７】
しかしながら、かかる従来のテストソケットは、コンタクトプローブ（導電性ゴム）、電子部品、及び導電性経路を単一基板に形成しているため、ファインピッチの被検査体を検査するためのテストソケットには適用し難いという問題があった。
【０００８】
また、テストソケットの設計が非常に複雑であり、製造コストが嵩むという問題もあった。
【発明の概要】
【発明が解決しようとする課題】
【０００９】
本発明の目的は、上記の従来の問題を解決するために、ファインピッチの被検査体テストに適した電子部品付きＰＣＢを有するテストソケットを提供することにある。
【００１０】
本発明の他の目的は、構造を簡単化して製造コストを軽減できる電子部品付きＰＣＢを有するテストソケットを提供することにある。
【課題を解決するための手段】
【００１１】
上記の課題を解決するための本発明の第１実施例に係る被検査体の電気的特性を検査するためのテストソケットは、検査方向に伸縮可能な複数のプローブと、前記複数のプローブの一端が前記被検査体の被検査接点に接触するように突出するように支持するプローブ支持体と、前記プローブ支持体の下側に配置され、電子部品が実装され、前記複数プローブのうち少なくとも一つの他端が接触する少なくとも一つの第１パッド及び該第１パッドの反対側に形成された少なくとも一つの第２パッドを有し、前記第１パッド及び第２パッドから延びて前記実装された電子部品に連結される電気的経路が形成された印刷回路基板（ＰＣＢ）と、を備えることを特徴とする。
【００１２】
前記テストソケットは、前記印刷回路基板（ＰＣＢ）の下側に配置され、前記少なくとも一つの第２パッドに接触する少なくとも一つの第１導電部を支持する下部支持体をさらに備えることができる。
【００１３】
前記印刷回路基板（ＰＣＢ）は、前記少なくとも一つの第１パッドに接触する少なくとも一つのプローブを除いた残りのプローブの他端が通過する第１開孔を有し、前記下部支持体は、前記第１開孔を貫通したプローブの他端が通過する第２開孔を有することができる。
【００１４】
前記印刷回路基板（ＰＣＢ）は、前記少なくとも一つの第１パッドに接触する少なくとも一つのプローブを除いた残りのプローブの他端が通過する開孔を有し、前記下部支持体は、前記第１開孔を貫通したプローブの他端に接触する第２導電部を有することができる。
【００１５】
前記印刷回路基板（ＰＣＢ）は、前記第１パッドに接触する少なくとも一つのプローブを除いた残りのプローブの他端が接触する第３パッド及び該第３パッドの反対側に形成された第４パッドを有し、前記第３パッドと第４パッドとがスールーホール連結部を介して電気的に連結されてもよい。
【００１６】
前記プローブ支持体は下部の溝部を有し、前記印刷回路基板（ＰＣＢ）及び下部支持体は前記溝部に少なくとも部分的に収容されてもよい。
【００１７】
前記溝部内には前記電子部品を収容する第２溝部が形成されてもよい。
【００１８】
前記電子部品として抵抗又はキャパシターを含んでもよい。
【００１９】
前記第１パッドに接触するプローブは、前記開孔を貫通するプローブと異なることができる。
【００２０】
前記導電部は検査方向に伸縮可能であってもよい。
【発明の効果】
【００２１】
本発明によれば、簡単な構造で電子部品が実装されたＰＣＢをテストソケットに追加することによって、ファインピッチの被検査体の検査に適用することができ、製造コストも軽減することができる。
【図面の簡単な説明】
【００２２】
【図１】本発明に係るテストソケットの斜視図である。
【図２】図１のテストソケットの分解斜視図である。
【図３】図１のテストソケットの底面斜視図である。
【図４】第１実施例に係るテストソケットの断面図である。
【図５】第２実施例に係るテストソケットの断面図である。
【図６】第３実施例に係るテストソケットの断面図である。
【図７】本発明に係る印刷回路基板（ＰＣＢ）の平面図である。
【図８】本発明に係る印刷回路基板（ＰＣＢ）の底面図である。
【図９】本発明に係る印刷回路基板（ＰＣＢ）の右側面図である。
【発明を実施するための形態】
【００２３】
以下、添付の図面を参照して本発明について詳しく説明する。以下の実施例は、本発明の思想と直接関連している構成に関してのみ説明し、その他の構成に関しては説明を省略する。しかし、このように説明を省略した構成が、本発明の思想が適用された装置又はシステムを具現する際に不要であるということを意味するわけではないことに留意されたい。説明の便宜上、本発明と直接関連していない部分は省略し、明細書全体を通じて同一又は類似の構成要素には同一の参照符号を付与するものとする。
【００２４】
図１〜図４には本発明の第１実施例に係るテストソケット１を示す。図４に示すように、本発明に係る被検査体１０の電気的特性を検査するためのテストソケット１は、プローブ支持体１００、複数のプローブ２００、電子部品３０２，３０４が実装された印刷回路基板（ＰＣＢ）３００、及び下部支持体４００を備えることができる。
【００２５】
プローブ支持体１００は、上記複数のプローブ２００の一端（上部プランジャー）２０３が部分的に突出するように支持されている。上記プローブ２００の部分突出した一端は検査時に被検査体１０の被検査接点（バンプなど）１２と接触することができる。この時、検査時に被検査体１０に加えられる圧力によってプローブ２００の他端は検査方向に移動可能である。
【００２６】
プローブ２００は検査方向に伸縮可能に構成され得る。プローブ２００は、バレル２０１、バレルの内部に収容されたスプリング２０２、及びバレル２０１内に部分的に収容され、内部のスプリング２０２を挟んで配置された上下プランジャー２０３，２０４を備えることができる。勿論、プローブ２００として様々な形態のプローブを適用してもよい。例えば、プローブ２００は、バレルの一側に部分収容されてスプリングを圧縮するように移動可能な一つのプランジャーを有し、他側にはバレルと一体化した固定プランジャーを有する構造が適用されてもよい。
【００２７】
印刷回路基板（ＰＣＢ）３００はプローブ支持体１００の下側に配置され、少なくとも一つの電子部品３０２，３０４、例えば、抵抗、キャパシターなどが実装されている。
【００２８】
印刷回路基板（ＰＣＢ）３００は、上記プローブ支持体１００に支持された複数のプローブ２００の他端（下部プランジャー）２０４が貫通する第１開孔３０６を有することができる。
【００２９】
印刷回路基板（ＰＣＢ）３００は、上記複数のプローブ２００の一部のプローブ２００−１の他端（下部プランジャー）２０４−１が接触する第１パッド３０８−１，３０９−１、及び上記第１パッドに対応するように裏面に配置された第２パッド３０８−２，３０９−２を有することができる。
【００３０】
印刷回路基板（ＰＣＢ）３００は、上記第１パッド３０８−１，３０９−１から電子部品３０２，３０４に連結される第１電気的経路３０５−１，３０７−１、及び第２パッド３０８−２，３０９−２から電子部品３０２，３０４に連結される第２電気的経路３０５−２，３０７−２を有することができる。第１電気的経路３０５−１，３０７−１と第２電気的経路３０５−２，３０７−２はそれぞれ印刷回路基板３００の両面に配置される。
【００３１】
印刷回路基板３００は、プローブ支持体１００への固定のための固定孔３２４及び整列のための整列孔３２２を有する。
【００３２】
図４に示すように、下部支持体４００は、上記プローブ２００の他端（下部プランジャー）２０４が貫通する第２開孔４０６、及び上記第２パッド３０８−２，３０９−２に対応する位置で上記第２開孔４０６に挿入された導電部４１０を有することができる。
【００３３】
上記第２開孔４０６を貫通した上記プローブ２００の他端（下部プランジャー、２０４）は、下部に配置している検査回路２０の検査接点２２に接触することができる。また、導電部４１０の一端は上記第２パッド３０８−２，３０９−２に接触し、他端は検査回路２０の検査接点２２に接触することができる。図４には導電部４１０が検査方向に伸縮しない単一体として例示されているが、プローブ２００と同じ検査方向に伸縮可能な構造が適用されてもよい。
【００３４】
図４で、上記第２開孔４０６を貫通した上記プローブ２００は、第１パッド３０８−１，３０９−１に接触するプローブ２００−１より長く形成することが好ましい。
【００３５】
結果的に、第１パッド３０８−１，３０９−１と第２パッド３０８−２，３０９−２は、第１電気的経路３０５−１，３０７−１と第２電気的経路３０５−２，３０７−２を介して電子部品３０２，３０４に連結され得る。したがって、特定の検査信号は、電子部品３０２，３０４を経て検査回路２０の検査接点２２又は被検査体１０の被検査接点１２に、特性が調節されて伝達され得る。
【００３６】
図３の底面図に示すように、印刷回路基板３００と下部支持体４００がプローブ支持体１００の下側溝部内に装着され、テストソケット１の全厚を縮小することができる。印刷回路基板３００と下部支持体４００は固定ねじ３５４でプローブ支持体１００の下側溝部内に装着され得る。また、プローブ支持体１００のプローブ２００と、印刷回路基板３００の第１開孔３０６及び第１パッド３０８−１，３０９−１と、下部支持体４００の第２開孔４０６及び導電部４１０とが正確に整列されることが重要であるため、整列孔４０８及び整列ピン３５２を用いることができる。
【００３７】
印刷回路基板３００の電子部品３０２，３０４は印刷回路基板３００の平面から突出しているため、プローブ支持体１００の溝部内に電子部品を収容する第２溝部がさらに設けられていることが好ましい。
【００３８】
図５には、本発明の第２実施例に係るテストソケット１を示す。第２実施例のテストソケット１に関しては、図４の第１実施例と異なる点についてのみ説明し、同一の部分については説明を省くものとする。
【００３９】
図５に示すように、下部支持体４００の第２開孔４０６はいずれも導電部４１０を含む。したがって、複数プローブ２００のうち、印刷回路基板３００の第１開孔３０６を貫通したプローブ２００の他端は、導電部４１０の一端に直接接触することができる。すなわち、下部支持体４００の導電部４１０は、プローブ２００と検査回路２０の検査接点２２との間で検査信号を中継する役割を担うことができる。このような構造の長所は、プローブ支持体１００に支持されるプローブ２００を全て同一のデザインにすることができるという点である。印刷回路基板３００として非常に薄いフレキシブルＰＣＢを用いることによって、第１パッド３０８−１，３０９−１に接触するプローブにも第１開孔３０６を通過するプローブにも同一のデザインのプローブを適用することができる。
【００４０】
図６に示すように、本発明に係る第３実施例は、印刷回路基板３００の一面に、複数のプローブ２００に対応する複数の第１パッドを形成し、他面に上記複数の第１パッドに相応する第２パドル形成した後、それらのうち、電子部品を経由する必要のある第１パッド及び第２パッドには、それぞれ、電子部品に連結する第１及び第２電気的経路を配設し、電子部品を経由する必要のない第１パッド及び第２パッドには、導電体で詰められたスルーホールのように直接連結する第３電気的経路（コネクター）３０３を配設することができる。
【００４１】
上述した実施例によれば、電子部品の搭載されたＰＣＢがシンプルな構造でテストソケットに追加され、これによってファインピッチを有する被検査体を検査することができる他、製造コストも軽減することができる。
【００４２】
上記の実施例は例示のものに過ぎず、当該技術の分野における通常の知識を有する者にとっては様々な変形及び同等な他の実施例が可能である。したがって、本発明の真の技術的保護範囲は添付の特許請求項の範囲に記載される発明の技術的思想によって定められるべきであろう。
【符号の説明】
【００４３】
１        テストソケット
１０      被検査体
１２      被検査接点
２０      検査回路
２２      検査接点
１００    プローブ支持体
２００    プローブ
３００    印刷回路基板（ＰＣＢ）
４００    下部支持体
【図１】
0006395936.tif 000002
【図２】
0006395936.tif 000003
【図３】
0006395936.tif 000004
【図４】
0006395936.tif 000005
【図５】
0006395936.tif 000006
【図６】
0006395936.tif 000007
【図７】
0006395936.tif 000008
【図８】
0006395936.tif 000009
【図９】
0006395936.tif 000010